(57)【要約】【課題】  ノートブック型パソコンにおけるモニター部の折畳み開閉時の位置決め機能を有する蝶番を提供する。【解決手段】  ノートブック型パソコンにおけるモニター部８０とベース９０との連結部に設けられる位置決め機能を有する蝶番１００であって、一端に貫通円孔１３を有する位置決めプレート１１が設けられると共に、該貫通円孔１３の付近に異なる形状を有する扇形の第一凹部１４と第二凹部１５が形成される位置決め部材１０と、中央に非円形状の貫通孔２１が形成されると共に、一側に夫々前記第一凹部１４と第二凹部１５に対応する第一凸部２２と第二凸部２３が設けられる位置決めブロック２０と、一側に非円形の棒状からなる取付軸３１が設けられると共に、他側に取付ブロック３１０が設けられる枢軸３０と、中央に貫通円孔５１が形成される弾性部材５０とワッシャー７０とを備えた構成とした。【選択図】  図１
0003105039.tif 000002
【実用新案登録請求の範囲】
【請求項１】
ノートブック型パソコンにおけるモニター部とベースとの連結部に設けられる位置決め機能を有する蝶番であって、
一端に貫通円孔を有する位置決めプレートが設けられると共に、該貫通円孔の付近に異なる形状を有する扇形の第一凹部と第二凹部とが形成された位置決め部材と、
前記位置決め部材に隣接し、中央に非円形状の貫通孔が形成されると共に、一側に夫々前記第一凹部と第二凹部とにそれぞれ対応する第一凸部と第二凸部とが設けられ互いに係脱可能に配設された位置決めブロックと、
前記位置決めブロックの一側に隣接配設された中央部に貫通円孔を有する弾性部材と、前記位置決めブロックの他側に隣接配設されるワッシャーと、
一側に非円形状の棒状の取付軸が設けられると共に、他側に取付ブロックが設けられた枢軸とを備え、前記ワッシャー、位置決め部材、位置決めブロック、弾性部材を前記枢軸の取付軸に一体に締め付け固定し、かつ前記枢軸の取付ブロックには取付部の一端に取付プレートを備えた固定プレートを固定するようにしたことを特徴とする位置決め機能を有する蝶番。
【請求項２】
前記第一凹部と第二凹部及び第一凸部と第二凸部の両端に円弧面が設けられることにより、互いに円滑に係脱することを可能にしたことを特徴とする請求項１に記載の位置決め機能を有する蝶番。
【請求項３】
一側に取付プレートが設けられると共に、他側に固定プレートが設けられ、該固定プレートに前記取付ブロックの形状に対応する貫通孔が形成される取付部材を有し、前記位置決め部材の他側にノートブック型パソコンのモニター部と組合せるため取り付けプレートが設けられることを特徴とする請求項１又は２に記載の位置決め機能を有する蝶番。
【考案の詳細な説明】
【技術分野】
【０００１】
本考案は、特にノートブック型パソコンにおけるモニター部の折畳開閉時におけるモニター部の視認開閉角度を自在とした位置決め機能を有する蝶番に関するものである。
【背景技術】
【０００２】
従来のノートブック型パソコンやＰＤＡや翻訳機などの電子機械における液晶表示部（モニター部）は蝶番によってベースと折畳み自在に連接されている。
【考案の開示】
【考案が解決しようとする課題】
【０００３】
しかるに、従来の前記蝶番はモニター部をベースから開閉する際の連結機能しか有せず、モニター部とベースとを開閉する際の位置決め或いは衝撃を防止する機能を備えておらず、モニター部の損傷を防止することができないと共に、使用時における前記モニター部をベースより開く際の位置決め機能がない。且つ使用中、使用者はモニター部の視角を調整する場合、位置決め機能がないため、自由にモニター部の視認角度を自在に調整することができない。
【０００４】
そこで、案出されたのが本考案であって、ノートブック型パソコンにおけるモニター部の折畳み時におけるモニター部の開閉位置決めを可能にした蝶番を提供することを目的としている。
【課題を解決するための手段】
【０００５】
本願の請求項１の考案は、ノートブック型パソコンにおけるモニター部とベースとの連結部に設けられる位置決め機能を有する蝶番であって、一端に貫通円孔を有する位置決めプレートが設けられると共に、該貫通円孔の付近に異なる形状を有する扇形の第一凹部と第二凹部とが形成された位置決め部材と、前記位置決め部材に隣接し、中央に非円形状の貫通孔が形成されると共に、一側に夫々前記第一凹部と第二凹部とにそれぞれ対応する第一凸部と第二凸部とが設けられ互いに係脱可能に配設された位置決めブロックと、前記位置決めブロックの一側に隣接配設された中央部に貫通円孔を有する弾性部材と、前記位置決めブロックの他側に隣接配設されるワッシャーと、一側に非円形状の棒状の取付軸が設けられると共に、他側に取付ブロックが設けられた枢軸とを備え、前記ワッシャー、位置決め部材、位置決めブロック、弾性部材を前記枢軸の取付軸に一体に締め付け固定し、かつ前記枢軸の取付ブロックには取付部の一端に取付プレートを備えた固定プレートを固定するようにしたことを特徴とする。
【０００６】
本願の請求項２の考案は、請求項１に記載の位置決め機能を有する蝶番において、前記第一凹部と第二凹部及び第一凸部と第二凸部の両端に円弧面が設けられることにより、互いに円滑に係脱することを可能にしたことを特徴とする。
【０００７】
本願の請求項３の考案は、請求項１又は２に記載の位置決め機能を有する蝶番において、一側に取付プレートが設けられると共に、他側に固定プレートが設けられ、該固定プレートに前記取付ブロックの形状に対応する貫通孔が形成される取付部材を有し、前記位置決め部材の他側にノートブック型パソコンのモニター部と組合せるため取り付けプレートが設けられることを特徴とする。
【考案の効果】
【０００８】
本考案は上記の課題を解決するものであり、位置決め部材の第一凹部と第二凹部とを、前記位置決めブロックの第一凸部と第二凸部とに嵌合連結することにより、ノートブック型パソコンにおけるモニター部とベースとの連結を開閉自在とする位置決め機能を有する蝶番であって、前記モニター部を開けて使用する場合、第一凹部と第二凹部を位置決めブロックの第一凸部と第二凸部とを嵌合しない状態にして弾性部材５０に押圧された状態とすることで、互いの摩擦抵抗によって保持した構成としたので、モニター部８０の視認角度を自由に調整することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係る位置決め機能を有する蝶番の第１実施例を示す斜視図であり、図２は本考案に係る位置決め機能を有する蝶番の第１実施例を示す分解斜視図であり、図３は本考案に係る位置決め機能を有する蝶番の第１実施例を示すにおける位置決め部材の位置決めプレートの一部平面図であり、図４は本考案に係る位置決め機能を有する蝶番の第１実施例を示す位置決めブロックの一部平面図であり、図５は本考案に係る位置決め機能を有する蝶番の第１実施例の使用状態を示す平面図であり、図６は本考案に係る位置決め機能を有する蝶番の使用状態を示す平面図である
【００１１】
図５及び図６に示すように、本考案に係る位置決め機能を有する蝶番１００はノートブック型パソコンにおけるモニター部８０とベース９０との間に設けられるものであり、図１及び図２に示すように、本考案に係る位置決め機能を有する蝶番１００は位置決め部材１０と、位置決めブロック２０と、枢軸３０と、取付部材４０と、弾性部材５０と、ナット６０と、ワッシャー７０とを備える。
【００１２】
図２乃至図４に示すように、前記位置決め部材１０の一端に貫通円孔１３を有する位置決めプレート１１が設けられると共に、他端に取り付けプレート１２が設けられ、前記貫通円孔１３の付近に異なる形状を有する扇形の第一凹部１４と第二凹部１５が形成され、該第一凹部１４と第二凹部１５の中央と貫通円孔１３の円中心に伸びる中心線１４１，１５１（二点鎖線）に示すもの同士の角度は１８０度より小さく形成され、又、前記位置決めブロック２０の中央に円形ではない貫通孔２１が形成されると共に、一側に夫々第一凹部１４と第二凹部１５に対応する第一凸部２２と第二凸部２３が設けられ、該第一凹部１４と第二凹部１５及び第一凸部２２と第二凸部２３の両端に円弧面が設けられていることにより、互いに円滑に係脱することができる。
【００１３】
又、図２に示すように、前記枢軸３０の一側に非円形状の棒状の取付軸３１が設けられると共に、他側に断面楕円形状の取付ブロック３１０が設けられ、該取付軸３１の末端にねじ山部３２が設けられ、又、前記取付部材４０の一側に取付プレート４１が設けられると共に、他側に固定プレート４２が設けられ、該固定プレート４２に取付ブロック３１０の形状に対応する楕円形状の貫通孔４３が形成されている。又、前記弾性部材５０とワッシャー７０の中央に貫通円孔５１，７１が形成される。
【００１４】
図２に示すように、本考案に係る位置決め機能を有する蝶番１００を組み付ける場合、前記枢軸３０の取付軸３１が順にワッシャー７０の貫通円孔７１、位置決めプレート１１の貫通円孔１３、位置決めブロック２０の貫通孔２１及び弾性部材５０の貫通円孔５１を貫通した後、ナット６０を取付軸３１のねじ山部３２と螺合し、枢軸３０の取付ブロック３１０を固定プレート４２の貫通孔４３に固定することにより、全ての部材を組付ける。
【００１５】
又、図５及び図６に示すように、組付けた蝶番１００を取付プレート４１，１２を介してベース９０とモニター部８０に取り付けることで、両者を互いに回動自在に連結する。
【００１６】
図６に示すように、モニター部８０をベース９０より開動作する場合、位置決め部材１０の位置決めプレート１１を連動させるが、前記位置決めブロック２０と取付部材４０は回動しない。
【００１７】
又、図５に示すようにモニター部８０をベース９０に閉合する場合、位置決め部材１０の第一凹部１４と第二凹部１５を位置決めブロック２０の第一凸部２２と第二凸部２３とを嵌合することにより、モニター部８０の閉合時の位置決め機能を有する。
【００１８】
又、図３及び図６に示すように、モニター部８０を開けて使用する場合、第一凹部１４と第二凹部１５とが位置決めブロック２０の第一凸部２２と第二凸部２３とに嵌合しない状態で、弾性部材に５０に押圧されているので、互いの摩擦抵抗によって保持されたモニター部８０の視認角度を自由に調整することができる。
【実施例２】
【００１９】
図７及び図８は、本考案に係る位置決め機能を有する蝶番の第２実施例を示すもので、その構成は、前記の第１実施例と殆ど等しく、異なるのは該第一凹部１４と第二凹部１５の中央と貫通円孔１３の円中心に伸びる中心線１４１，１５１（二点鎖線）に示すもの同士の角度を１８０度にしたものであり、これにより、前記の第１実施例と等しい効果を達成することができる。
【産業上の利用可能性】
【００２０】
本考案は上記の構成を有するので、位置決め部材の第一凹部と第二凹部を位置決めブロックの第一凸部と第二凸部と嵌合することにより、モニター部の閉合時の位置決め機能を提供し、又、モニター部を開けて使用する場合、第一凹部１４と第二凹部１５とが位置決めブロック２０の第一凸部２２と第二凸部２３とに嵌合しない状態で、弾性部材に５０に押圧されている状態として、互いの摩擦抵抗によって保持されたモニター部８０の視認角度を自由に調整することができる。
【図面の簡単な説明】
【００２１】
【図１】本考案に係る位置決め機能を有する蝶番の第１実施例を示す斜視図である。
【図２】本考案に係る位置決め機能を有する蝶番の第１実施例を示す分解斜視図である。
【図３】本考案に係る位置決め機能を有する蝶番の第１実施例における位置決め部材の位置決め部レートの一部平面図である。
【図４】本考案に係る位置決め機能を有する蝶番の第１実施例における位置決めブロックの一部平面図である。
【図５】本考案に係る位置決め機能を有する蝶番の第１実施例における使用状態を示す平面図である。
【図６】本考案に係る位置決め機能を有する蝶番の第１実施例における使用状態を示す平面図である。
【図７】本考案に係る位置決め機能を有する蝶番の第２実施例における位置決め部材の位置決め部レートの一部平面図である。
【図８】本考案に係る位置決め機能を有する蝶番の第２実施例における位置決めブロックの一部平面図である。
【符号の説明】
【００２２】
１０        位置決め部材
１１        位置決めプレート
１２        取付プレート
１３        貫通円孔
１４        第一凹部
１４１      中心線
１５        第二凹部
１５１      中心線
２０        位置決めブロック
２１        貫通孔
２２        第一凸部
２３        第二凸部
３０        枢軸
３１        取付軸
３１０      取付ブロック
３２        ねじ山部
４０        取付部材
４１        取付プレート
４２        固定プレート
４３        貫通孔
５０        弾性部材
５１        貫通円孔
６０        ナット
７０        ワッシャー
７１        貫通円孔
８０        モニター部
９０        ベース
【図１】
0003105039.tif 000003
【図２】
0003105039.tif 000004
【図３】
0003105039.tif 000005
【図４】
0003105039.tif 000006
【図５】
0003105039.tif 000007
【図６】
0003105039.tif 000008
【図７】
0003105039.tif 000009
【図８】
0003105039.tif 000010